(57)【要約】      （修正有）【課題】ポータブル型水素発生器を安価で手軽に利用可能にすることである。【解決手段】ポータブル型水素発生器１０は、ボトル２０と、カニューラチューブ４０と、カニューラチューブ４０の一方端側に設けられる鼻腔側開口部を有する鼻腔装着部とを備える。また、カニューラチューブ４０に取付けられたキャップ部６０と、キャップ部６０からさらに他方端側に延びるカニューラチューブの先端部に取付けられたワニグチクリップ７０とを備える。また、気体と水を通し固体は通さない素材で構成されて外周囲が封止され、ワニグチクリップ７０に着脱自在に挟まれた状態の袋体８０と、袋体８０の内部に収容され、水と接触することで水素を発生するクエン酸及びマグネシウムを含む混合体とを備える。そして、カニューラチューブ４０は、水素収集孔５８を有する。【選択図】図１
0003214852.tif 000002
【実用新案登録請求の範囲】
【請求項１】
内部が水収容空間となる大径部、前記大径部から先端側に向かうに連れて外径が小径となる縮径部、及び、前記縮径部の先端側に設けられ、外周面に蓋用おねじ部が設けられた先端開口部を有するプラスチック製のボトルと、
内径穴を有するカニューラチューブと、
前記カニューラチューブの一方端側に設けられ前記カニューラチューブの前記内径穴に連通する鼻腔側開口部を有する鼻腔装着部と、
前記ボトルの前記蓋用おねじ部に噛み合うめねじ部を有するキャップ部であって、蓋頂部に設けられた貫通穴に通された前記カニューラチューブの他方端側の外周面と前記貫通穴との間が気密封止されて前記カニューラチューブに取付けられた前記キャップ部と、
前記キャップ部からさらに他方端側に所定のキャップ下長さで延びる前記カニューラチューブの先端部に取付けられたワニグチクリップと、
気体と水を通し固体は通さない素材で構成されて外周囲が封止された長筒型形状を有し、前記長筒型形状の短辺側の外周囲で前記ワニグチクリップに着脱自在に挟まれた状態の袋体と、
前記袋体の内部に収容され、前記水と接触することで水素を発生するクエン酸及びマグネシウムを含む混合体と、
を備え、
前記カニューラチューブは、前記キャップ部の前記めねじ部を前記ボトルの前記蓋用おねじ部に噛み合わせて気密に閉めた状態における前記ボトルの水収容空間の許容水位面よりも前記キャップ部側に設けられ、前記カニューラチューブの前記内径穴に連通する水素収集孔を有する、ポータブル型水素発生器。
【請求項２】
前記ワニグチクリップの電極端子に接続固定された金属棒が前記カニューラチューブの前記内径穴に挿入された状態で前記水素収集孔の位置の手前までの長さで延びて配置され、前記ワニグチクリップの前記電極端子側と前記カニューラチューブの前記先端部の前記内径穴とが気密封止されている、請求項１に記載のポータブル型水素発生器。
【請求項３】
前記袋体は、ナイロン不織布で構成され、熱シールによって前記外周囲が封止されている、請求項１に記載のポータブル型水素発生器。
【請求項４】
前記袋体は、前記ボトルの頭部開口を通る大きさである、請求項１に記載のポータブル型水素発生器。
【考案の詳細な説明】
【技術分野】
【０００１】
本開示は、ポータブル型水素発生器に係り、特に、健康のための吸引用水素を生成するポータブル型水素発生器に関する。
【背景技術】
【０００２】
人が肺から生体内に取り込んだ酸素は、人の生活のために必要不可欠のものであるが、体内に取り込まれた酸素の約２％が、非常に酸化力が強く、自らを安定させるために他の物質の性質を変えてしまう活性酸素となると言われている。生体内において活性酸素が過剰になると、生体内の細胞が参加されて損傷を受け、生活習慣病や癌等の一因になることが分かってきた。活性酸素内に含まれる物質の一つに、酸素を構成する原子核の周りを回る電子数が２個でなく、１個または奇数となる不対電子のフリーラジカルがある。
【０００３】
例えば、人が強い放射能を浴びると、人体を構成する水の酸素からフリーラジカルであるヒドロキシルラジカルが発生する。ヒドロキシルラジカルはヒドロキシ基に対応するラジカルであり、活性酸素と呼ばれる分子種のなかでは最も反応性が高く、最も酸化力が強く、糖質やタンパク質や脂質などあらゆる物質と反応する。このヒドロキシルラジカルは、水素と反応すると、水となり、無害化する。そこで、健康のために、水素を溶存させた水素水を飲用し、あるいは、鼻腔カニューラを用いて水素を吸引することが提案されている。
【０００４】
特許文献１には、ポット型飲料用水素水の生成器として、水槽室と水槽室の底部側の反応室とを含むポット部と、ポットの底部を受けて通電を行う台座部とを備え、日常用に使用する飲料水を原水として反応室で電気分解し水素を発生させることが開示されている。発生した水素は原水に溶存して水素水となる。反応室は、水槽室側の陰極電極、底部側の陽極電極の間に、電気分解の際の電子と水素イオンが通る高分子膜が配置された電極構造を有している。電源は、外部の家庭用交流電力を台座部で受けて交流電力に変換して用いる。
【０００５】
特許文献２は、特許文献１の関連発明で、電源として、乾電池または二次電池を用い、例えば、屋外や屋内体育館等で外部電源が無くても水素水を飲用できるポータブル型飲料用水素水の生成器が開示されている。
【先行技術文献】
【特許文献】
【０００６】
【特許文献１】特開２０１２−２１７８６８号公報
【特許文献２】実用新案登録第３１７５９９７号公報
【考案の概要】
【考案が解決しようとする課題】
【０００７】
家庭用の水素水発生器は、既に市販品があるが、手軽に利用するには高価すぎる。都会等には、一般人が利用可能な水素吸引ステーションもあるが、利用料金も高価で、そこに立ち寄らないと水素吸引ができない。そこで、安価で手軽に利用可能なポータブル型水素発生器が要望される。
【課題を解決するための手段】
【０００８】
本開示に係るポータブル型水素発生器は、内部が水収容空間となる大径部、大径部から先端側に向かうに連れて外径が小径となる縮径部、及び、縮径部の先端側に設けられ、外周面に蓋用おねじ部が設けられた先端開口部を有するプラスチック製のボトルと、内径穴を有するカニューラチューブと、カニューラチューブの一方端側に設けられカニューラチューブの内径穴に連通する鼻腔側開口部を有する鼻腔装着部と、ボトルの蓋用おねじ部に噛み合うめねじ部を有するキャップ部であって、蓋頂部に設けられた貫通穴に通されたカニューラチューブの他方端側の外周面と貫通穴との間が気密封止されてカニューラチューブに取付けられたキャップ部と、キャップ部からさらに他方端側に所定のキャップ下長さで延びるカニューラチューブの先端部に取付けられたワニグチクリップと、気体と水を通し固体は通さない素材で構成されて外周囲が封止された長筒型形状を有し、長筒型形状の短辺側の外周囲でワニグチクリップに着脱自在に挟まれた状態の袋体と、袋体の内部に収容され、水と接触することで水素を発生するクエン酸及びマグネシウムを含む混合体と、を備え、カニューラチューブは、キャップ部のめねじ部をボトルの蓋用おねじ部に噛み合わせて気密に閉めた状態におけるボトルの水収容空間の許容水位面よりもキャップ部側に設けられ、カニューラチューブの内径穴に連通する水素収集孔を有する。
【０００９】
上記構成によれば、ワニグチクリップとキャップ部と鼻腔装着部とを有するカニューラチューブと、飲料水等を飲んだ後の空ボトルがあれば、水と、水と接触して水素を発生するクエン酸とマグネシウムの混合体を含む袋体とを用意して、発生した水素を吸引できる。ワニグチクリップとキャップ部と鼻腔装着部とを有するカニューラチューブの原価は安価であり、組立工数も少なくて済む。クエン酸とマグネシウムの原価は安価であり、水は水道水を用いることができる。したがって、安価で手軽に利用可能となる。
【００１０】
本開示に係るポータブル型水素発生器において、ワニグチクリップの電極端子に接続固定された金属棒がカニューラチューブの内径穴に挿入された状態で水素収集孔の位置の手前までの長さで延びて配置され、ワニグチクリップの電極端子側とカニューラチューブの先端部の内径穴とが気密封止されていることが好ましい。
【００１１】
水素は、元素の中で最も軽く、袋体内においてクエン酸とマグネシウムの混合体に水が接触して水素が発生し、水素が袋体の網目構造から外部の原水に排出される速度よりも水素の発生速度が速い場合に、そのままでは袋体は原水の中を浮上する。水面上に袋体が達すると、混合体と水の接触が少なくなり、水素発生速度が遅くなり、吸入に適さなくなる。ワニグチクリップで挟むことで袋体の浮上を抑制できるが、カニューラチューブの可撓性によっては、袋体の浮上可能性がある。上記構成によれば、金属棒がカニューラチューブの内径穴に挿入されるので、カニューラチューブが撓むことを抑制でき、袋体の浮上を効果的に抑制できる。
【００１２】
本開示に係るポータブル型水素発生器において、袋体は、ナイロン不織布で構成され、熱シールによって外周囲が封止されていることが好ましい。上記構成によれば、手軽に入手可能な材料を用い、容易な方法で外周囲を封止して袋体を生成できる。
【００１３】
本開示に係るポータブル型水素発生器において、袋体は、ボトルの頭部開口を通る大きさであることが好ましい。上記構成によれば、ボトル内に袋体を容易に配置できる。
【考案の効果】
【００１４】
上記構成のポータブル型水素発生器によれば、安価で手軽に利用可能になる。
【図面の簡単な説明】
【００１５】
【図１】実施の形態のポータブル型水素発生器の斜視図である。
【図２】実施の形態のポータブル型水素発生器におけるカニューラチューブの斜視図である。
【図３】実施の形態のポータブル型水素発生器における袋体の斜視図である。
【図４】実施の形態のポータブル型水素発生器における袋体が形成される過程を示す図である。
【考案を実施するための形態】
【００１６】
以下に図面を用いて本実施の形態につき詳細に説明する。以下では、ボトルとして、市販の飲料水等の飲料用のＰＥＴボトルを述べるが、これは説明のための例示であって、ＰＥＴ（ポリエチレンテレフタレート）以外の材質のボトルであってもよい。例えば、ＰＰ（ポリプロピレン）ボトルであってもよい。以下において、水は、水道水をそのまま利用することを述べるが、これは説明のための例示であって、浄化器を通した水道水でもよく、井戸水等の天然水であってもよく、ミネラルウオータ等であってもよい。
【００１７】
以下で述べる寸法、形状、材質、質量、温度等は、説明のための例示であり、ポータブル型水素発生器の仕様に応じ、適宜変更が可能である。以下では、全ての図面において同様の要素には同一の符号を付し、重複する説明を省略する。
【００１８】
図１は、ポータブル型水素発生器１０の斜視図である。以下では、特に断らない限り、ポータブル型水素発生器１０を、水素発生器１０と呼ぶ。
【００１９】
水素発生器１０は、ボトル２０、カニューラチューブ４０、キャップ部６０、ワニグチクリップ７０、袋体８０、袋体８０に含まれ水１００と反応して水素１０４を発生する混合体９０（図４参照）を備える。図１（ａ）は、水素１０４の発生状態を示す図であり、（ｂ）は、キャップ部６０を分離した状態のボトル２０を示す図である。
【００２０】
ボトル２０は、飲料水用のプラスチック製の容器である。プラスチック材料としては、ＰＥＴを用いる。ボトル２０は、円筒形の大径部２２と縮径部２４と先端開口部２６の部分を有する。大径部２２は、内部が水収容空間２８となる部分で、ボトル２０の主要部分である。大径部２２は、ユーザが把持しやすいように適度の凹凸をあることを除くと、全長に渡りほぼ同じ外径、同じ肉厚、同じ内径を有し縮径部２４は、大径部２２から先端側に向かうに連れて外径が小径となる部分である。
【００２１】
大径部２２と縮径部２４との境界は、ボトル２０に水１００を収容する場合の許容水位面３０の位置として用いることができる。後述する水素収集孔５８は、許容水位面３０を基準として、キャップ部６０側に設けられるので、ボトル２０に水１００を注入する場合には、水素収集孔５８に水１００が入り込まないように、許容水位面３０の位置を超えないようにする。図１の例では、水１００の水位面１０２は、許容水位面３０の位置よりやや下側である。
【００２２】
先端開口部２６は、図１（ｂ）に示すように、縮径部２４の先端側に設けられ、水１００の注入口となる頭部開口３４を有する先端筒部で、外周面に蓋用おねじ部３２が設けられる。頭部開口３４の内径をＤ０で示す。
【００２３】
かかるボトル２０は、ボトル入り飲料を購入し、内容物を飲んだ後の空ボトルをそのまま利用することができる。例えば５００ｍｌ用のＰＥＴボトルをそのまま利用してよい。
【００２４】
カニューラチューブ４０は、内径穴４１を有し、可撓性を有し、水素吸入に適した長さを有するプラスチックチューブである。図２は、カニューラチューブ４０の全体を示す斜視図である。かかるカニューラチューブ４０は、酸素吸入用の医療用カニューラチューブをそのまま利用することができる。
【００２５】
キャップ部６０は、ボトル２０の蓋用おねじ部３２に噛み合うめねじ部６２を有するプラスチックキャップである。ボトル２０として、市販のＰＥＴボトルの空きボトルをそのまま利用する場合には、その空きボトルについているキャップをキャップ部６０とできる。市販のＰＥＴボトルのキャップについて統一規格は定められていないが、業界標準として、例えば２８ｍｍ外径のキャップの場合、Ａｌｃｏａ１７１６規格、あるいはＰＣＯ１８１０規格があり、ほとんどのＰＥＴボトルについてキャップに互換性がある。
【００２６】
キャップ部６０は、蓋頂部６４の中央部に、カニューラチューブ４０の外径よりもやや大きめの貫通穴６６が設けられる。この貫通穴６６に、カニューラチューブ４０が挿入され、挿入されたカニューラチューブ４０の外周面と貫通穴６６との間は適当な封止樹脂等で気密封止される。気密封止された部分をキャップ側封止部６８と呼ぶ。カニューラチューブ４０の延びる方向を区別する場合は、図２に示すように、キャップ側封止部６８を境にして、鼻腔装着部５０が設けられる側を一方端側４２と呼び、ボトル２０に向う側を他方端側４４と呼ぶ。
【００２７】
カニューラチューブ４０の延びる方向の一方端側４２には、水素吸入用の鼻腔装着部５０が設けられる。鼻腔装着部５０は、ユーザの２つの鼻腔に対応して、水素１０４が供給される２つの鼻腔側開口部５２，５３を有する。２つの鼻腔側開口部５２，５３に均等に水素１０４を供給できるように、鼻腔装着部５０には２つの供給チューブ５４，５５のそれぞれの一方端が接続される。２つの供給チューブ５４，５５は、カニューラチューブ４０よりも細いチューブである。２つの供給チューブ５４，５５のそれぞれの他方端は１つにまとめられ、コネクタ部５６でカニューラチューブ４０に接続される。コネクタ部５６によって、鼻腔装着部５０の２つの鼻腔側開口部５２，５３は、カニューラチューブ４０の内径穴４１に連通する。
【００２８】
カニューラチューブ４０の他方端側４４は、キャップ側封止部６８から所定の長さで延びる。図２に、他方端側４４の所定の長さとして、キャップ下長さＬＣを示す。
【００２９】
水素収集孔５８は、図１に示すように、水素発生器１０において水収容空間２８内で発生した水素１０４を水上置換してカニューラチューブ４０の内径穴４１に導くための孔である。水素収集孔５８は、カニューラチューブ４０の外周面に開口を有し内径穴４１に連通する。水素収集孔５８が設けられる位置は、水素収集孔５８に水１００が入らない位置であればよいので、できるだけキャップ部６０に近い方が好ましい。水素発生器１０に水１００を満たした場合について述べると、キャップ部６０のめねじ部６２をボトル２０の蓋用おねじ部３２に噛み合わせて気密に閉めた状態におけるボトル２０の水収容空間２８の許容水位面３０よりもキャップ部６０側に設けられる。図１の例では、キャップ部６０をボトル２０に締めた状態で、ボトル２０の先端開口部２６の領域内に水素収集孔５８が設けられる。
【００３０】
カニューラチューブ４０の他方端側４４において、キャップ下長さＬＣで延びた先端部には、ワニグチクリップ７０が取り付けられる。ワニグチクリップ７０は、ボトル２０の水収容空間２８に袋体８０を着脱自在に配置するためのものである。さらに、袋体８０に収容されている混合体９０が水１００と接触して発生する水素１０４によって袋体８０が水１００に対して浮上することを防ぐ機能を有する。そのために、ワニグチクリップ７０は、袋体８０の浮上を抑制するに足りる質量を有する。樹脂製よりも金属製のワニグチクリップ７０が好ましい。かかるワニグチクリップ７０は、電気用パーツとして市販の鰐口クリップをそのまま用いることができる。
【００３１】
金属棒７２は、ワニグチクリップ７０の電極端子に半田付け等で接続固定され、カニューラチューブ４０の他方端側４４において、内径穴４１に挿入された線材である。線材を金属棒７２とするのは、電気伝導のためでなく、カニューラチューブ４０の他方端側４４が袋体８０の浮上力によって撓まないようにチューブ剛性を補強するためである。金属棒７２の長さＬＢは、カニューラチューブ４０の他方端側４４の全長の内、水素収集孔５８よりも先端部までの間で、チューブ剛性補強の仕様に応じて設定される。かかる金属棒７２は、市販の電線、網線、針金等をそのまま用いることができる。
【００３２】
ワニグチクリップ７０の電極端子と金属棒７２の間の接合点は、カニューラチューブ４０の内径穴４１に挿入され、適当な封止樹脂等で気密封止される。気密封止された部分をワニグチクリップ側封止部７４と呼ぶ。したがって、カニューラチューブ４０の他方端側４４は、水素収集孔５８を除いて、外部と気密封止される。ここで気密封止とは、気体を通さないことであるが、液体、固体も通さないことを意味する。換言すれば、カニューラチューブ４０の他方端側４４において、水素収集孔５８よりも先端側は、袋体８０の保持用部材であり、その内径穴４１は、流体を流通するために用いられるのではない。
【００３３】
袋体８０は、気体と水を通し固体は通さない素材で構成されて外周囲が封止された長筒型形状を有する袋で、内部に混合体９０が収容される。図３は、袋体８０の斜視図であり、図４は、１枚の長尺材８１から袋体８０を形成する過程を示す図である。先に図４を説明し、その後図３に戻る。
【００３４】
図４（ａ）は、袋体８０の形成に用いる長尺材８１を示す図である。長尺材８１は、気体と水を通し固体は通さない網目構造を有するシート状の素材を、所定の寸法で細長く切断したものである。気体と水を通し固体は通さない網目構造を有するシート状の素材としては、適当な細孔と厚さを有し、耐水性と適度な融点を有する不織布を用いることができる。かかる不織布として、ナイロン不織布を用いることができる。ナイロン不織布として、ナイロン６の不織布の融点は、約２２５℃、ナイロン６６の不織布の融点は、約２６５℃であり、いずれも市販の加熱加圧型のシーラ装置を用いて熱封止が可能である。不織布に代えて、細かい網目としての編目を有する布材を用いてもよい。袋体８０の内部に収容する混合体９０の組成物は、クエン酸粒子９２とマグネシウム粒子９４であるが、マグネシウム粒子９４の方が細かい。そこで、実際に用いるマグネシウム粒子９４の粒径より十分細かい網目を有する布材を用い、適当な耐水性接着材で封止してもよい。好ましくは、マグネシウム粒子９４の粒径の（１／５）程度の細かさの網目がよい。長尺材８１の幅Ｗ０は、袋体８０の幅寸法となるので、ボトル２０の頭部開口３４を通るように、頭部開口３４の内径Ｄ０よりも小さく設定される。
【００３５】
図４（ｂ）は、長尺材８１について長手方向の中間の位置で二つ折りに折り曲げて重ね合わせる工程を示す。重ねあわされた上下２つの面部分を区別して、一方面部８２、他方面部８３と呼ぶ。一方面部８２と他方面部８３との境目は、折曲辺８４である。一方面部８２と他方面部８３とを重ね合わせた状態の形状は、平面図で矩形である。
【００３６】
図４（ｃ）は、一方面部８２、他方面部８３を重ね合わせた状態で、矩形の長辺８５，８６を加熱加圧型のシーラ装置を用いて熱シールにより封止し、折曲辺８４と反対側の端部を開き、その開口に、混合体９０を充填する工程を示す図である。
【００３７】
混合体９０は、クエン酸粒子９２とマグネシウム粒子９４を所定の質量割合で準備し、予め混合し、均一に混ざった状態としたものである。クエン酸は、組成式が、Ｃ６Ｈ８Ｏ７で与えられる化合物で、分子量は１９２．１２５である。マグネシウムは、元素記号がＭｇで、原子量は、２４．３０５である。
【００３８】
クエン酸とマグネシウムの混合体９０を、分子式がＨ２Ｏで示される水に接触させると、式（１）の反応が生じる。
【００３９】
【数１】
0003214852.tif 000003
式（１）に示されるように、クエン酸マグネシウムＣ６Ｈ６ＭｇＯ７と水素ガスＨ２が生成される。
【００４０】
式（１）の反応において、Ｃ６Ｈ８Ｏ７はクエン酸で柑橘類に含まれ、クエン酸マグネシウムは、一般的な清涼飲料水に含まれ、いずれも人体に無害であるが、Ｍｇは、無機物質である。そこで、式（１）の反応においては、マグネシウムが無くなると反応が停止し、その場合にクエン酸が残るように、クエン酸とマグネシウムを所定割合とする混合体９０を用いる。一例を挙げると、所定割合を、クエン酸を５ｇに対し、マグネシウムを０．２ｇとする混合体９０を用いる。
【００４１】
図４（ｄ）は、混合体９０を充填した後に、開口を有する端部である矩形の短辺８８を加熱加圧型のシーラ装置を用い熱シールにより封止する工程を示す図である。これによって、内部に混合体９０を含む袋体８０が形成される。
【００４２】
袋体８０において、不織布を通して大気中の水分が内部に侵入すると、式（１）の反応が進行するため、水素発生器１０を用いて水素１０４を発生させる直前まで大気中に曝さないことが好ましい。図４（ｅ）は、袋体８０を、真空パック１０６で個包装した状態を示す図である。
【００４３】
図３に戻り、袋体８０を示す図である。図３（ａ）は、全体の斜視図である。図４で述べたように、袋体８０は、気体と水を通し固体は通さない素材で構成されて外周囲が封止された長筒型形状を有する。袋体８０の平面図における形状は矩形で、２つの短辺の１つは、折曲辺８４であり、もう１つは、封止された短辺８８である。２つの長辺は、いずれも封止された長辺８５，８６である。
【００４４】
図３（ｂ）は、図３（ａ）における短辺８８におけるＢ部の拡大図で、不織布の一方面部８２と他方面部８３とが重ね合わせて封止されている状態を示す。封止された長辺８５，８６も同様の構成である。
【００４５】
図３（ｃ）は、図３（ａ）において、袋体８０を一部破断したＡ部の拡大図で、混合体９０のクエン酸粒子９２とマグネシウム粒子９４の混合状態が示される。
【００４６】
再び図１に戻り、ユーザが水素発生器１０を用いて水素吸入をする場合の手順を述べる。空のボトル２０と、図２で述べたカニューラチューブ４０と、真空パック１０６に個包装された袋体８０を準備する。そして、空のボトル２０に、水収容空間２８の許容水位面３０の位置を越さないように、ボトル２０の頭部開口３４から水１００を注入する。
【００４７】
次に、真空パック１０６を開いて、袋体８０を取り出す。取り出した袋体８０において長筒型形状の封止された短辺８８側の外周囲を、図２のカニューラチューブ４０のワニグチクリップ７０で挟む。そして、ワニグチクリップ７０に挟まれた状態の袋体８０を、ボトル２０の頭部開口３４から、ボトル２０の水収容空間２８内に入れ、ボトル２０の内部底面側に配置する。次に、カニューラチューブ４０に取付けられたキャップ部６０のめねじ部６２を、ボトル２０の先端開口部２６の蓋用おねじ部３２に噛み合わせて、キャップ部６０をボトル２０にしっかり締め付ける。これで、ボトル２０側における必要な手順は完了するので、ユーザは、カニューラチューブ４０の鼻腔装着部５０の２つの鼻腔側開口部５２，５３を、自分の鼻腔に挿入する。
【００４８】
袋体８０の不織布を通して水１００が袋体８０の内部に侵入し、混合体９０と接触すると、式（１）で述べた反応が生じ、水素１０４が発生する。水素１０４は水１００よりも軽いので、袋体８０を上方に浮上させながら、不織布を通して水１００の中に出て、水中を上方側に移動する。袋体８０は、ワニグチクリップ７０に短辺８８が挟まれ、カニューラチューブ４０には金属棒７２が挿入されている。したがって、水素１０４が発生すると、短辺８８の配置位置はほぼそのままの状態で、袋体８０は、折曲辺８４を上方側とするように縦長配置状態になる。図１は、その状態を示す図である。
【００４９】
発生した水素は、ボトル２０の内部において、水１００の水位面１０２から上方に出て、水素収集孔５８からカニューラチューブ４０の内径穴４１に入る。そして、カニューラチューブ４０の一方端側４２の内径穴４１の中を流れて、コネクタ部５６において２つの供給チューブ５４，５５に分流され、鼻腔装着部５０の鼻腔側開口部５２，５３からユーザの鼻腔に供給される。このようにして、ユーザは、水素１０４を吸入することができる。袋体８０に充填された混合体９０が、クエン酸５ｇとマグネシウム０．２ｇの場合には、約１５０ｃｃ〜２００ｃｃの水素１０４が発生するので、１つの袋体８０によって、この量の水素１０４の吸入が可能である。使い終わった袋体８０は、ワニグチクリップ７０から取り外して捨てる。新しい袋体８０を用いて、上記手順に従って、次の水素吸入を行うことができる。
【００５０】
上記構成の水素発生器１０によれば、ワニグチクリップ７０とキャップ部６０と鼻腔装着部５０とを有するカニューラチューブ４０と、ボトル２０と、水１００と、クエン酸とマグネシウムの混合体９０を含む袋体８０とを用意すれば、発生した水素を吸引できる。このように、水素発生器１０は、安価で手軽に利用可能である。
【符号の説明】
【００５１】
１０  （ポータブル型）水素発生器、２０  ボトル、２２  大径部、２４  縮径部、２６  先端開口部、２８  水収容空間、３０  許容水位面、３２  蓋用おねじ部、３４  頭部開口、４０  カニューラチューブ、４１  内径穴、４２  一方端側、４４  他方端側、５０  鼻腔装着部、５２，５３  鼻腔側開口部、５４，５５  供給チューブ、５６  コネクタ部、５８  水素収集孔、６０  キャップ部、６２  めねじ部、６４  蓋頂部、６６  貫通穴、６８  キャップ側封止部、７０  ワニグチクリップ、７２  金属棒、７４  ワニグチクリップ側封止部、８０  袋体、８１  長尺材（素材）、８２  一方面部、８３  他方面部、８４  折曲辺、８５，８６  長辺、８８  短辺、９０  混合体、９２  クエン酸粒子、９４  マグネシウム粒子、１００  水、１０２  水位面、１０４  水素、１０６  真空パック。
【図１】
0003214852.tif 000004
【図２】
0003214852.tif 000005
【図３】
0003214852.tif 000006
【図４】
0003214852.tif 000007